(57)【要約】【課題】放熱性および防水性に優れた電池パックならびにそれを備える鞍乗型車両を提供する。【解決手段】電池パック４０は、ケース部材５４，５６および第１電池ユニット６２を含む。第１電池ユニット６２は、複数の電池９８、電池保持部１００および複数のリード部材１２０，１２２，１２４，１２６を有する。複数の電池９８は、Ｘ方向に３行以上かつＹ方向に３行以上に配列される。ケース部材５４は、本体部５４ａおよび放熱部材５４ｂを含む。放熱部材５４ｂは、本体部５４ａの側壁部６６に接触しかつ側壁部６６をＺ方向に貫通しない。側壁部６６は、複数位置で電池保持部１００の端面１１０に固定される。複数の電池９８から電池保持部１００に伝達された熱は、電池保持部１００の端面１１０から側壁部６６を介して放熱部材５４ｂに伝達され、放熱される。【選択図】図５
2013109975.tif 000002
【特許請求の範囲】
【請求項１】
第１方向に複数行以上および前記第１方向に直交する第２方向に複数列以上に配列される複数の充電できる電池と、
前記第１方向および前記第２方向の双方に直交する第３方向に離れて設けられる第１端面および第２端面を有しかつ前記複数の電池を保持する電池保持部と、
前記複数の電池を電気的に接続する複数のリード部材と、
前記複数の電池、前記電池保持部および前記複数のリード部材を収容するケースとを備え、
前記複数の電池は、前記第１方向に３行以上かつ前記第２方向に３列以上に配列され、
前記第１端面および前記第２端面はそれぞれ、前記第３方向に交差し、
前記ケースは、前記電池保持部の前記第１端面に対向する第１側壁部と、前記第１側壁部の外面に接触しかつ前記第１側壁部を前記第３方向に貫通しない放熱部材とを有し、
前記放熱部材の熱伝導率は前記第１側壁部の熱伝導率よりも高く、
前記第１側壁部は、複数位置において前記第１端面に固定され、前記複数の電池で発生しかつ前記複数の電池から前記電池保持部に伝達された熱を、前記第１端面から受けて前記放熱部材に伝達する、電池パック。
【請求項２】
前記ケースは、前記第３方向において複数のケース部材に分割され、
前記複数のケース部材のうちの少なくとも一つのケース部材は、前記第１側壁部および前記放熱部材を含む、請求項１に記載の電池パック。
【請求項３】
前記ケースの前記第１側壁部を前記電池保持部の前記第１端面に固定するための複数の固定部材をさらに備え、
前記第１側壁部の前記外面は、前記放熱部材に覆われることなく露出する複数の露出部を有し、
前記複数の固定部材はそれぞれ、前記露出部を貫通するように設けられる、請求項２に記載の電池パック。
【請求項４】
前記第１側壁部は、前記第１方向における複数位置および前記第２方向における複数位置で前記第１端面に固定される、請求項１から３のいずれかに記載の電池パック。
【請求項５】
前記複数のリード部材は、前記電池保持部の前記第１端面と前記ケース部材の前記第１側壁部との間において前記第１方向または前記第２方向に間隔をおいて設けられ、
前記第１側壁部は、前記複数のリード部材の間の複数位置において前記第１端面に固定される、請求項１から４のいずれかに記載の電池パック。
【請求項６】
前記第１側壁部は樹脂材料を含み、前記第１側壁部と前記放熱部材とはインサート成形によって一体的に成形される、請求項１から５のいずれかに記載の電池パック。
【請求項７】
前記第１側壁部の前記外面と前記放熱部材の内面とが互いに嵌り合いかつ接触するように、前記第１側壁部の前記外面および前記放熱部材の前記内面はそれぞれ前記第３方向に直交する断面において凹凸形状を有する、請求項１から６のいずれかに記載の電池パック。
【請求項８】
前記放熱部材は金属材料を含む、請求項１から７のいずれかに記載の電池パック。
【請求項９】
前記放熱部材は、アルミニウム、鉄、ステンレス、およびチタンのうちの少なくとも一つを含む、請求項８に記載の電池パック。
【請求項１０】
前記放熱部材は樹脂材料を含む、請求項１から７のいずれかに記載の電池パック。
【請求項１１】
前記放熱部材は炭素繊維強化樹脂を含む、請求項１０に記載の電池パック。
【請求項１２】
１または複数のシール部材をさらに備え、
前記複数のケース部材は、前記シール部材を挟んで互いに組み合わされる、請求項２に記載の電池パック。
【請求項１３】
請求項１から１２のいずれかに記載の電池パックを備える、鞍乗型車両。
【発明の詳細な説明】
【技術分野】
【０００１】
この発明は、電池パックおよびそれを備える鞍乗型車両に関し、より特定的には、複数の充電できる電池を有する電池パックおよびそれを備える鞍乗型車両に関する。
【背景技術】
【０００２】
従来、複数の充電できる電池を備えた電池パックが提案されている。近年、このような電池パックにおいて電池容量の増加が望まれており、より多くの電池を有する電池パックの実用化が進められている。
【０００３】
ところで、電池の数を増加させることによって電池パックの電池容量は増加するが、電池パックの発熱量も増加してしまう。そのため、大容量の電池パックにおいては、放熱性を向上させることが重要な課題となる。そこで、電池パックの放熱性を向上させるための技術が開発されている。
【０００４】
たとえば、特許文献１に開示されている組電池ユニットは、複数の電池、複数の電池を接続する接続板、および複数の電池と接続板とを収容する一対の電池ケースを有する。一対の電池ケースは、金属に比べて放熱性が劣るプラスチックで成形されている。そこで、この組電池ユニットでは、プラスチック製の各電池ケースに開口部を設け、この開口部を閉塞するように放熱プレートを設けている。接続板と放熱プレートとは、熱伝導シートを介して熱結合されている。このような構成において、複数の電池の熱を接続板および熱伝導シートを介して放熱プレートに伝達し、放熱プレートから放熱できる。なお、特許文献１において放熱プレートの材質についての記載はないが、放熱プレートは、電池ケースよりも放熱性の良い材料（たとえば金属）で成形されていると考えられる。
【０００５】
上述のような電池パックは、近年、小型の電動車両にも搭載されている。電池パックを小型の電動車両に搭載する場合には、大型の電動車両に搭載する場合に比べて、電池パックの防水性をより向上させることが好ましい。そこで、電池パックの防水性を向上させるための技術が開発されている。
【０００６】
たとえば、特許文献２に開示されているバッテリパックは、複数の電池を含む電池ブロック、電池ブロックを収容する電池ケース、電池ケースの内部において電池ブロックの上に配置される絶縁プレート、絶縁プレートの上に設けられかつ電池ブロックに接続される回路基板、およびパッキンを介して電池ケースの上方開口部を密閉する蓋ケースを有する。このバッテリパックでは、蓋ケースおよびパッキンによって電池ケースの上方開口部が密閉されているので、電池ケースの防水性が向上し、電池ケース内への水の浸入を防止できる。
【先行技術文献】
【特許文献】
【０００７】
【特許文献１】特開２００９−１２３３７１号公報
【特許文献２】特開２０１１−４９０１４号公報
【発明の概要】
【発明が解決しようとする課題】
【０００８】
上述のように、近年、電池パックの放熱性および防水性を向上させるための技術が開発されている。そこで、たとえば、放熱性に優れた特許文献１の組電池ユニットにおいて特許文献２の防水技術を採用して、組電池ユニットの放熱性および防水性を共に向上させることが考えられる。具体的には、一対の電池ケースの間にシール部材（パッキン）を設けるとともに、電池ケースと放熱プレートとの間にシール部材（パッキン）を設けることによって、組電池ユニットの防水性を向上させることが考えられる。しかしながら、上述したように、特許文献１の組電池ユニットにおいては、電池ケースと放熱プレートとは異なる材料で成形されていると考えられ、電池ケースの熱膨張率と放熱プレートの熱膨張率とが異なると考えられる。このため、電池ケースと放熱プレートとの間に単純にシール部材を設けても、組電池ユニットの防水性を向上させることは困難である。このように、特許文献１の組電池ユニットにおいて特許文献２の防水技術を採用しても、組電池ユニットの放熱性および防水性を共に向上させることは困難である。
【０００９】
また、たとえば、防水性に優れた特許文献２のバッテリパックにおいて特許文献１の放熱技術を採用して、バッテリパックの放熱性および防水性を共に向上させることも考えられる。具体的には、電池ケースに開口部を設け、その開口部を閉塞するように放熱プレートを設けることによって、バッテリパックの放熱性を向上させることが考えられる。しかしながら、この場合、開口部を設けることによって防水性が低下してしまう。また、電池ケースの熱膨張率と放熱プレートの熱膨張率とが異なると考えられるので、電池ケースと放熱プレートとの間にシール部材を設けたとしても、バッテリパックの防水性を向上させることは困難である。このように、特許文献２のバッテリパックにおいて特許文献１の放熱技術を採用しても、バッテリパックの放熱性および防水性を共に向上させることは困難である。
【００１０】
それゆえに、この発明の主たる目的は、放熱性および防水性に優れた電池パックならびにそれを備える鞍乗型車両を提供することである。
【課題を解決するための手段】
【００１１】
上述の目的を達成するために、請求項１に記載の電池パックは、第１方向に複数行以上および第１方向に直交する第２方向に複数列以上に配列される複数の充電できる電池と、第１方向および第２方向の双方に直交する第３方向に離れて設けられる第１端面および第２端面を有しかつ複数の電池を保持する電池保持部と、複数の電池を電気的に接続する複数のリード部材と、複数の電池、電池保持部および複数のリード部材を収容するケースとを備え、複数の電池は、第１方向に３行以上かつ第２方向に３列以上に配列され、第１端面および第２端面はそれぞれ、第３方向に交差し、ケースは、電池保持部の第１端面に対向する第１側壁部と、第１側壁部の外面に接触しかつ第１側壁部を第３方向に貫通しない放熱部材とを有し、放熱部材の熱伝導率は第１側壁部の熱伝導率よりも高く、第１側壁部は、複数位置において第１端面に固定され、複数の電池で発生しかつ複数の電池から電池保持部に伝達された熱を、第１端面から受けて放熱部材に伝達することを特徴とする。
【００１２】
なお、「第３方向に交差する第１端面」には、第３方向に垂直な第１端面のみならず、第３方向に対して傾斜する第１端面が含まれる。第２端面についても同様である。また、第１端面が凹凸を有していてもよく、第２端面が凹凸を有していてもよい。
【００１３】
請求項２に記載の電池パックは、請求項１に記載の電池パックにおいて、ケースは、第３方向において複数のケース部材に分割され、複数のケース部材のうちの少なくとも一つのケース部材は、第１側壁部および放熱部材を含むことを特徴とする。
【００１４】
請求項３に記載の電池パックは、請求項２に記載の電池パックにおいて、ケースの第１側壁部を電池保持部の第１端面に固定するための複数の固定部材をさらに備え、第１側壁部の外面は、放熱部材に覆われることなく露出する複数の露出部を有し、複数の固定部材はそれぞれ、露出部を貫通するように設けられることを特徴とする。
【００１５】
請求項４に記載の電池パックは、請求項１から３のいずれかに記載の電池パックにおいて、第１側壁部は、第１方向における複数位置および第２方向における複数位置で第１端面に固定されることを特徴とする。
【００１６】
請求項５に記載の電池パックは、請求項１から４のいずれかに記載の電池パックにおいて、複数のリード部材は、電池保持部の第１端面とケース部材の第１側壁部との間において第１方向または第２方向に間隔をおいて設けられ、第１側壁部は、複数のリード部材の間の複数位置において第１端面に固定されることを特徴とする。
【００１７】
請求項６に記載の電池パックは、請求項１から５のいずれかに記載の電池パックにおいて、第１側壁部は樹脂材料を含み、第１側壁部と放熱部材とはインサート成形によって一体的に成形されることを特徴とする。
【００１８】
請求項７に記載の電池パックは、請求項１から６のいずれかに記載の電池パックにおいて、第１側壁部の外面と放熱部材の内面とが互いに嵌り合いかつ接触するように、第１側壁部の外面および放熱部材の内面はそれぞれ第３方向に直交する断面において凹凸形状を有することを特徴とする。
【００１９】
請求項８に記載の電池パックは、請求項１から７のいずれかに記載の電池パックにおいて、放熱部材は金属材料を含むことを特徴とする。
【００２０】
請求項９に記載の電池パックは、請求項８に記載の電池パックにおいて、放熱部材は、アルミニウム、鉄、ステンレス、およびチタンのうちの少なくとも一つを含むことを特徴とする。
【００２１】
請求項１０に記載の電池パックは、請求項１から７のいずれかに記載の電池パックにおいて、放熱部材は樹脂材料を含むことを特徴とする。
【００２２】
請求項１１に記載の電池パックは、請求項１０に記載の電池パックにおいて、放熱部材は炭素繊維強化樹脂を含むことを特徴とする。
【００２３】
請求項１２に記載の電池パックは、請求項２に記載の電池パックにおいて、１または複数のシール部材をさらに備え、複数のケース部材は、シール部材を挟んで互いに組み合わされることを特徴とする。
【００２４】
請求項１３に記載の鞍乗型車両は、請求項１から１２のいずれかに記載の電池パックを備えることを特徴とする。
【００２５】
請求項１に記載の電池パックでは、複数の電池で発生した熱は、電池保持部に伝達された後、電池保持部の第１端面からケースの第１側壁部を介して放熱部材に伝達され、放熱される。ここで、この電池パックでは、ケースの第１側壁部は複数位置で第１端面に固定されるので、第１側壁部と第１端面との密着性を高めることができる。これにより、電池保持部からケースへ伝達される熱量を増加させることができる。特に、第１側壁部と第１端面との密着性が高まることによって、熱がこもり易い電池保持部の中央部の熱も、効率よくケースに伝達できる。
【００２６】
また、電池保持部の第１端面および第２端面はそれぞれ、第３方向に交差する。言い換えると、第１端面および第２端面はそれぞれ、少なくとも第１方向と第２方向とに延びる。ここで、この電池パックでは、複数の電池は、第１方向に３行以上かつ第２方向に３列以上に配列される。この場合、複数の電池を保持する電池保持部の第１方向および第２方向の寸法が大きくなるので、第１方向と第２方向とに延びる第１端面および第２端面の面積も大きくなる。これにより、電池保持部から第１端面を介してケースの第１側壁部に伝達される熱量を十分に増やすことができる。また、第１端面の面積が大きくなることによって、第１端面に固定される第１側壁部の剛性を容易に向上させることができる。これにより、ケースの変形を十分に抑制できるので、電池パックの防水性が向上する。
【００２７】
また、放熱部材は第１側壁部の外面に接触するので、電池保持部から第１側壁部に伝達された熱を確実に放熱部材に伝達できる。さらに、放熱部材は第１側壁部を第３方向に貫通しないので、第１側壁部に放熱部材を設けても、電池パックの防水性は低下しない。
【００２８】
以上の結果、電池パックの放熱性および防水性を向上させることができる。
【００２９】
一般に、電池パックの製造を容易にするために、電池パックのケースは少なくとも２つ以上に分割される。請求項２に記載の電池パックでは、ケースは、第３方向において複数のケース部材に分割され、少なくとも一つのケース部材に第１側壁部および放熱部材が設けられる。この場合、第１側壁部を第１方向または第２方向に分割しなくてもよい。これにより、第１側壁部を分割して構成する場合に比べて、第１側壁部を第１端面に容易に固定できるとともに第１側壁部の熱伝導性を向上できる。また、第１側壁部を第１端面により安定して接触させることができる。さらに、この電池パックでは、第１側壁部と第１端面とが接触するので、ケース部材とケース部材との接続部を第１端面に接触させなくてもよい。この場合、ケース部材とケース部材との接続部の設計自由度が向上するので、ケース部材とケース部材との接続部の水密性を容易に向上できる。これらの結果、優れた放熱性を確保しつつ電池パックの防水性を十分に向上できる。
【００３０】
請求項３に記載の電池パックでは、第１側壁部の外面は放熱部材から露出する複数の露出部を有し、複数の固定部材はそれぞれ、露出部を貫通するように設けられる。この場合、複数の固定部材を差し込むための複数の貫通孔を放熱部材に設けなくてよいので、複数の固定部材と放熱部材との間を封止する必要がない。したがって、複数の固定部材と放熱部材との間を封止するための複数のシール部材を設けなくてよい。これにより、電池パックの部品点数の増加を防止できる。
【００３１】
請求項４に記載の電池パックでは、ケースの第１側壁部は第１方向における複数位置および第２方向における複数位置で第１端面に固定される。この場合、ケースの成形精度を高めることなく第１側壁部と第１端面とを容易に接触させることができるとともに、第１側壁部と第１端面との密着性を十分に高めることができる。これにより、電池保持部からケースへ伝達される熱量を十分に増加させることができる。
【００３２】
請求項５に記載の電池パックでは、第１側壁部は、複数のリード部材の間の複数位置において第１端面に固定されるので、第１側壁部と第１端面との接触部が一か所に偏ってしまうことを防止できる。それにより、電池保持部からケースに効率よく熱を伝達できる。
【００３３】
請求項６に記載の電池パックでは、第１側壁部と放熱部材とがインサート成形によって一体的に成形されるので、第１側壁部および放熱部材が複雑な形状を有している場合であっても、ケースを容易に成形できる。
【００３４】
請求項７に記載の電池パックでは、第１側壁部の外面と放熱部材の内面とがそれぞれ凹凸形状を有しかつ互いに接触する。この場合、第１側壁部と放熱部材との接触面積を十分に大きくできるので、第１側壁部から放熱部材に効率よく熱を伝達できる。
【００３５】
請求項８に記載の電池パックでは、簡単な構成で放熱部材の放熱量を増やすことができる。請求項１０に記載の電池パックについても同様である。
【００３６】
請求項９に記載の電池パックでは、放熱部材の放熱量を十分に増やすことができる。
【００３７】
請求項１１に記載の電池パックでは、放熱部材を軽くしつつ放熱部材の強度を向上できる。これにより、電池パックを軽く構成できるとともに、電池パックの強度を向上できる。
【００３８】
請求項１２に記載の電池パックでは、電池パックの防水性を確実に向上できる。
【００３９】
電池パックを備えた鞍乗型車両においては、鞍乗型車両の信頼性を向上させるために、電池パックの放熱性および防水性を向上させることが好ましい。したがって、放熱性および防水性に優れた請求項１から１２のいずれかに記載の電池パックは、請求項１３に記載されるように、鞍乗型車両に好適に利用できる。
【発明の効果】
【００４０】
この発明によれば、放熱性および防水性に優れた電池パックならびにそれを備える鞍乗型車両が得られる。
【図面の簡単な説明】
【００４１】
【図１】この発明の実施の形態に係るスクータを示す側面図である。
【図２】車体カバーを取り外した状態のスクータを示す側面図である。
【図３】電池パックの外観を示す斜視図である。
【図４】電池パックの内部構造を示す斜視図である。
【図５】電池パックを示す分解斜視図である。
【図６】ケースと第１電池ユニットとの関係を示す断面図である。
【図７】第１電池ユニットを示す断面図解図である。
【図８】第１電池ユニットを側壁部側から見た図である。
【図９】第１電池ユニットの第１保持部を側壁部側から見た図である。
【図１０】電池保持部の端面を示す図である。
【図１１】第２電池ユニットを示す断面図解図である。
【図１２】放熱部材、側壁部、第１保持部およびネジの関係を示す断面図である。
【図１３】ケース部材を示す分解斜視図である。
【図１４】複数の電池が千鳥状に配列された電池ユニットを示す図である。
【図１５】電池保持部を示す図である。
【図１６】電池パックの他の例を示す斜視図である。
【図１７】ケース部材を示す分解斜視図である。
【図１８】ケース部材と第１電池ユニットとの関係を示す断面図である。
【図１９】放熱部材、側壁部および第１保持部の関係を示す図である。
【発明を実施するための形態】
【００４２】
以下、図面を参照してこの発明の実施の形態について説明する。ここでは、この発明の実施の形態に係る電池パック４０を、鞍乗型車両の一例であるスクータ１０に搭載した場合について説明する。なお、スクータ１０の説明において前後、左右、上下とは、スクータ１０のシート３８に運転者がハンドル３２に向かって着座した状態を基準とした前後、左右、上下を意味する。
【００４３】
図１は、スクータ１０を示す側面図である。スクータ１０は、車体フレーム１２および車体カバー１４を有する。なお、図面が煩雑になることを避けるために、図１においては車体フレーム１２を簡略化して示している。
【００４４】
図２は、車体カバー１４を取り外した状態のスクータ１０を示す側面図である。
【００４５】
図２を参照して、車体フレーム１２は、ヘッドパイプ１６、ヘッドパイプ１６から後方斜め下方に延びる前部フレーム１８、および前部フレーム１８の下端部から後方に延びる一対の後部フレーム２０（図２においては、左側の後部フレーム２０のみを図示）を含む。一対の後部フレーム２０は、スクータ１０の幅方向（左右方向）に並ぶように配置される。
【００４６】
各後部フレーム２０は、前部フレーム１８の下端部から後方へ延びる第１フレーム部２２、第１フレーム部２２の後端部から斜め上方へ延びる第２フレーム部２４、第２フレーム部２４の上端部から後方へ延びる第３フレーム部２６、および第２フレーム部２４と第３フレーム部２６とを連結する第４フレーム部２８を含む。第４フレーム部２８は、第２フレーム部２４の上下方向における中央部と第３フレーム部２６の前後方向における中央部とを連結するように、第２フレーム部２４から後方斜め上方に延びる。
【００４７】
ヘッドパイプ１６には、ステアリング軸３０が回動自在に挿通される。ステアリング軸３０の上端部には、ハンドル３２が取り付けられる。ステアリング軸３０の下端部には、フロントフォーク３４が取り付けられる。フロントフォーク３４の下端部には、前輪３６が回転自在に支持される。
【００４８】
第２フレーム部２４の上方にシート３８が設けられる。シート３８の下方において後部フレーム２０に電池パック４０が支持される。この実施形態では、電池パック４０は、第２フレーム部２４の下端部に設けられる支持部材４２および第３フレーム部２６の前端部に設けられる支持部材４４を介して後部フレーム２０に支持される。また、この実施形態では、電池パック４０は、やや後方に傾くように配置される。
【００４９】
第４フレーム部２８にスイングユニット４６が揺動可能に支持される。スイングユニット４６は、電動モータ４８および後輪５０を含む。スクータ１０では、電池パック４０から供給される電力によって電動モータ４８が駆動され、電動モータ４８の出力によって後輪５０が駆動される。
【００５０】
図３は、電池パック４０の外観を示す斜視図であり、図４は、電池パック４０の内部構造を示す斜視図であり、図５は、電池パック４０を示す分解斜視図である。なお、図４および図５においては、図面が煩雑になることを避けるために、電池パック４０の各構成部材を簡略化して示している。また、図３以降の各図には、電池パックの各構成部材の位置関係を明確にするために、互いに直交するＸ方向、Ｙ方向およびＺ方向を示す矢印を付している。この実施形態においては、Ｘ方向が第１方向に相当し、Ｙ方向が第２方向に相当し、Ｚ方向が第３方向に相当する。また、この実施形態では、Ｘ方向は、後述する端面１１０の長手方向（長さ方向）に対して平行な方向であり、Ｙ方向は、端面１１０の短手方向（幅方向）に対して平行な方向である。
【００５１】
図３および図４を参照して、電池パック４０はケース５２を含む。ケース５２は、Ｚ方向において複数のケース部材に分割された構成を有する。この実施形態では、ケース５２は、Ｚ方向において４つのケース部材５４，５６，５８，６０に分割された構成を有する。
【００５２】
図４および図５を参照して、電池パック４０はさらに、第１電池ユニット６２および第２電池ユニット６４を有する。第１電池ユニット６２および第２電池ユニット６４は、ケース５２に収容される。より具体的には、第１電池ユニット６２は、ケース部材５４とケース部材５６との間に配置され、第２電池ユニット６４は、ケース部材５８とケース部材６０との間に配置される。
【００５３】
ケース部材５４は、本体部５４ａおよび放熱部材５４ｂを含む。本体部５４ａは、板状かつ略長方形の側壁部６６、および側壁部６６の外周縁からケース部材５６に向かって突出する枠状の周壁部６８を有する。本体部５４ａは、たとえば絶縁材料からなる。この実施形態では、本体部５４ａ（特に側壁部６６）は、樹脂材料を含む。
【００５４】
放熱部材５４ｂは、長方形の板状に成形される。放熱部材５４ｂの熱伝導率は、側壁部６６（本体部５４ａ）の熱伝導率よりも高い。放熱部材５４ｂは、たとえば、金属材料および樹脂材料のうちの少なくとも一方を含む。放熱部材５４ｂに用いられる金属材料には、たとえば、アルミニウム、鉄、ステンレス、およびチタンのうちの少なくとも一つが含まれる。放熱部材５４ｂに用いられる樹脂材料には、たとえば、炭素繊維強化樹脂が含まれる。放熱部材５４ｂは、側壁部６６の外面６６ａに接触するように設けられる。本体部５４ａと放熱部材５４ｂとは、たとえばインサート成形または溶着等によって一体的に構成される。側壁部６６の四隅には、後述するボルト２０２を通すためのボス部７０ａ，７０ｂ，７０ｃ，７０ｄが設けられる。
【００５５】
図６は、ケース部材５４、ケース部材５６および第１電池ユニット６２の関係を示す断面図である。
【００５６】
図４および図６を参照して、側壁部６６の内面６６ｂは、ケース部材６０（図５参照）の後述する突出部９２ｃ（図５参照）と同様の形状を有する複数の突出部６６ｃ（図６参照）を有する。各突出部６６ｃは、第１電池ユニット６２側に向かって突出するように設けられ、ケース部材５６側から見た場合に（Ｚ方向視において）長方形状を有する。複数の突出部６６ｃは、Ｘ方向に間隔をおいて並ぶように設けられる。
【００５７】
図４および図５を参照して、ケース部材５６は、板状かつ略長方形の側壁部７２、側壁部７２の外周縁からケース部材５４に向かって突出する枠状の周壁部７４、および側壁部７２からケース部材５８に向かって突出する中空状の連結部７６，７８を有する。連結部７６は、ケース部材５８の後述する連結部８６に対応する形状を有し、連結部７８は、ケース部材５８の後述する連結部８８に対応する形状を有する。ケース部材５６は、たとえば樹脂等の絶縁材料またはアルミニウム等からなる。
【００５８】
図５を参照して、側壁部７２は、貫通孔７２ａ，７２ｂ，７２ｃを有する。貫通孔７２ａは、側壁部７２の一方の長辺に沿ってＸ方向に延びるように設けられる。貫通孔７２ｂは長方形状を有し、側壁部７２の一方の短辺の近傍に設けられる。貫通孔７２ｃは長方形状を有し、側壁部７２の他方の短辺の近傍に設けられる。貫通孔７２ａ，７２ｂ，７２ｃは、ケース部材５８側から見た場合に（Ｚ方向視において）連結部７８の内側に位置する。側壁部７２の四隅には、ボルト２０２を通すためのボス部８０ａ，８０ｂ，８０ｃ，８０ｄが設けられる。
【００５９】
図５および図６を参照して、側壁部７２の内面７２ｄは、第１電池ユニット６２側に向かって突出する複数の突出部７２ｅを有する。突出部７２ｅは、ケース部材５４側から見た場合に（Ｚ方向視において）長方形状を有する。複数の突出部７２ｅは、Ｘ方向に間隔をおいて並ぶように設けられる。図４および図６を参照して、側壁部７２の外面７２ｆは、第１電池ユニット６２側に向かって凹む複数の凹部７２ｇを有する。複数の凹部７２ｇは、複数の突出部７２ｅにそれぞれ対応するように設けられる。凹部７２ｇは、ケース部材５８側から見た場合に（Ｚ方向視において）長方形状を有する。複数の突出部７２ｅは、Ｘ方向に間隔をおいて並ぶように設けられる。
【００６０】
図４および図５を参照して、ケース部材５８は、板状かつ略長方形状の側壁部８２、側壁部８２の外周縁からケース部材６０に向かって突出する枠状の周壁部８４、および側壁部８２からケース部材５６に向かって突出する中空状の連結部８６，８８を有する。ケース部材５８は、たとえば樹脂等の絶縁材料またはアルミニウム等からなる。
【００６１】
図５を参照して、側壁部８２は、貫通孔８２ａ，８２ｂ，８２ｃを有する。貫通孔８２ａは、側壁部８２の一方の長辺に沿ってＸ方向に延びるように設けられる。貫通孔８２ｂは長方形状を有し、側壁部８２の一方の短辺の近傍に設けられる。貫通孔８２ｃは長方形状を有し、側壁部８２の他方の短辺の近傍に設けられる。貫通孔８２ａ，８２ｂ，８２ｃは、ケース部材５６側から見た場合に（Ｚ方向視において）連結部８８の内側に位置する。側壁部８２の四隅には、ボルト２０２を通すためのボス部９０ａ，９０ｂ，９０ｃ，９０ｄが設けられる。
【００６２】
図４および図５を参照して、側壁部８２の内面８２ｄ（図４参照）は、側壁部７２の突出部７２ｅと同様の形状を有する複数の突出部（図示せず）を有する。内面８２ｄの複数の突出部（図示せず）は、Ｘ方向に間隔をおいて並ぶように設けられる。側壁部８２の外面８２ｅは、側壁部７２の凹部７２ｇ（図４および図６参照）と同様の形状を有する複数の凹部８２ｆを有する。複数の凹部８２ｆは、側壁部８２の複数の突出部（図示せず）にそれぞれ対応するように設けられる。複数の凹部８２ｆは、Ｘ方向に間隔をおいて並ぶように設けられる。
【００６３】
図３および図４を参照して、ケース部材６０は、本体部６０ａおよび放熱部材６０ｂを含む。図３〜図５を参照して、本体部６０ａは、板状かつ略長方形状の側壁部９２、および側壁部９２の外周縁からケース部材５８に向かって突出する枠状の周壁部９４を有する。本体部６０ａは、たとえば絶縁材料からなる。この実施形態では、本体部６０ａ（特に側壁部９２）は、樹脂材料を含む。
【００６４】
図３および図４を参照して、放熱部材６０ｂは、長方形の板状に成形される。放熱部材６０ｂの熱伝導率は、側壁部９２（本体部６０ａ）の熱伝導率よりも高い。放熱部材６０ｂは、たとえば、金属材料および樹脂材料のうちの少なくとも一方を含む。放熱部材６０ｂに用いられる金属材料には、たとえば、アルミニウム、鉄、ステンレス、およびチタンのうちの少なくとも一つが含まれる。放熱部材６０ｂに用いられる樹脂材料には、たとえば、炭素繊維強化樹脂が含まれる。放熱部材６０ｂは、側壁部９２の外面９２ａに接触するように設けられる。本体部６０ａと放熱部材６０ｂとは、たとえばインサート成形または溶着等によって一体的に構成される。図３および図５を参照して、側壁部９２の四隅には、ボルト２０２を通すためのボス部９６ａ，９６ｂ，９６ｃ，９６ｄが設けられる。図４および図５を参照して、側壁部９２の内面９２ｂには、第２電池ユニット６４側に向かって突出する複数の突出部９２ｃが設けられる。突出部９２ｃは、ケース部材５８側から見た場合に（Ｚ方向視において）長方形状を有する。複数の突出部９２ｃは、Ｘ方向に間隔をおいて並ぶように設けられる。
【００６５】
この実施形態では、側壁部６６および側壁部９２がそれぞれ第１側壁部に相当する。
【００６６】
図７は、第１電池ユニット６２を示す断面図解図であり、図８は、第１電池ユニット６２を側壁部６６側から見た図である。なお、図７においては、図面が煩雑になることを避けるために、第１電池ユニット６２の一部の図示を省略している。
【００６７】
図７および図８を参照して、第１電池ユニット６２は、互いに平行に配置される複数の充電できる電池９８および複数の電池９８を保持する電池保持部１００を有する。電池９８は円柱形状を有し、Ｚ方向に対して平行に配置される。電池保持部１００は、略直方体状の第１保持部１０２と略直方体状の第２保持部１０４とを含む。電池保持部１００および後述の電池保持部１４４は、たとえば樹脂等の絶縁材料によって形成される。
【００６８】
図９は、第１保持部１０２を側壁部６６側から見た図である。
【００６９】
図９を参照して、第１保持部１０２は、複数の貫通孔１０６、およびボス部１０８ａ，１０８ｂ，１０８ｃ，１０８ｄを有する。複数の貫通孔１０６は、Ｘ方向に１４行かつＹ方向に７列になるように格子状に配列される。図７を参照して、複数の貫通孔１０６は、第１保持部１０２の一方側（この実施形態では側壁部６６（図５参照）側）の端面１１０と他方側（この実施形態では第２保持部１０４側）の端面１１２とを連通させるようにＺ方向に延びる。図５、図８および図９を参照して、ボス部１０８ａ，１０８ｂ，１０８ｃ，１０８ｄは、ケース部材５４のボス部７０ａ，７０ｂ，７０ｃ，７０ｄおよびケース部材５６のボス部８０ａ，８０ｂ，８０ｃ，８０ｄに対応するように、第１保持部１０２の四隅に設けられる。
【００７０】
図７を参照して、第２保持部１０４は複数の貫通孔１１４を有する。複数の貫通孔１１４は、複数の貫通孔１０６と同様に、Ｘ方向に１４行かつＹ方向に７列になるように格子状に配列される。また、複数の貫通孔１１４は、第２保持部１０４の一方側（この実施形態では側壁部７２（図５参照）側）の端面１１６と他方側（この実施形態では第１保持部１０２側）の端面１１８とを連通させるようにＺ方向に延びる。端面１１０および端面１１６はそれぞれ、Ｚ方向に交差する。言い換えると、端面１１０および端面１１６はそれぞれ、少なくともＸ方向とＹ方向とに延びる。端面１１０と端面１１６とは、Ｚ方向に離れて形成される。
【００７１】
第１電池ユニット６２においては、端面１１０が第１端面に相当し、端面１１６が第２端面に相当する。この実施形態では、端面１１０は側壁部６６（図５参照）に対向し、端面１１６は側壁部７２（図５参照）に対向する。
【００７２】
図７を参照して、複数の貫通孔１０６と複数の貫通孔１１４とがそれぞれ連通するようにかつ複数の電池９８がそれぞれ一対の貫通孔１０６，１１４に収容されるように、第１保持部１０２と第２保持部１０４とが接続される。図８を参照して、複数の電池９８は、Ｘ方向に３行以上かつＹ方向に３列以上に配列される。この実施形態では、複数の電池９８は、Ｘ方向に１４行かつＹ方向に７列になるように格子状に配列される。なお、以下の説明では、ボス部１０８ａ，１０８ｃに最も近い１行を１行目とし、ボス部１０８ｂ，１０８ｄに最も近い１行を１４行目とする。また、ボス部１０８ａ，１０８ｂに最も近い１列を１列目とし、ボス部１０８ｃ，１０８ｄに最も近い１列を７列目とする。この実施形態では、複数の電池９８は、奇数行に配置される電池９８と偶数行に配置される電池９８とが逆方向を向くように電池保持部１００に保持される。具体的には、たとえば、１、３、５、７、９、１１および１３行目の複数の電池９８は、マイナス極が側壁部６６（図５参照）側を向くように配置され、２、４、６、８、１０、１２および１４行目の複数の電池９８は、プラス極が側壁部６６（図５参照）側を向くように配置される。
【００７３】
図７および図８を参照して、第１保持部１０２の端面１１０側において複数の電池９８を電気的に接続するように、Ｙ方向に延びる複数（この実施形態では７つ）の板状のリード部材１２０が設けられる。
【００７４】
複数のリード部材１２０は、端面１１０と側壁部６６（図５参照）との間においてＸ方向に間隔をおいて設けられる。より具体的には、１行目の複数の電池９８の一端部（この実施形態では端面１１０側の端部）および２行目の複数の電池９８の一端部（この実施形態では端面１１０側の端部）に１つのリード部材１２０が接続される。これにより、１行目の複数の電池９８の一端部が電気的に並列に接続され、２行目の複数の電池９８の一端部が電気的に並列に接続される。また、１行目の複数の電池９８の一端部と２行目の複数の電池９８の一端部とが電気的に直列に接続される。同様に、３行目から１４行目の複数の電池９８の一端部に、６つのリード部材１２０が接続される。具体的には、２つの行の複数の電池９８毎に１つのリード部材１２０が接続される。
【００７５】
図７を参照して、第２保持部１０４の端面１１６側において複数の電池９８を電気的に接続するように、Ｙ方向に延びる複数の板状のリード部材１２２，１２４，１２６が設けられる。この実施形態では、１つのリード部材１２２、６つのリード部材１２４および１つのリード部材１２６が設けられる。
【００７６】
複数のリード部材１２２，１２４，１２６は、端面１１６と側壁部７２（図５参照）との間においてＸ方向に間隔をおいて設けられる。より具体的には、１行目の複数の電池９８の他端部（この実施形態では端面１１６側の端部）にリード部材１２２が接続される。これにより、１行目の複数の電池９８の他端部が電気的に並列に接続される。２行目の複数の電池９８の他端部および３行目の複数の電池９８の他端部に１つのリード部材１２４が接続される。これにより、２行目の複数の電池９８の他端部が電気的に並列に接続され、３行目の複数の電池９８の他端部が電気的に並列に接続される。また、２行目の複数の電池９８の他端部と３行目の複数の電池９８の他端部とが電気的に直列に接続される。同様に、４行目から１３行目の複数の電池９８の他端部に、５つのリード部材１２４が接続される。具体的には、２つの行の複数の電池９８毎に１つのリード部材１２４が接続される。リード部材１２６は、１４行目の複数の電池９８の他端部に接続される。これにより、１４行目の複数の電池９８の他端部が電気的に並列に接続される。
【００７７】
リード部材１２０，１２２，１２４，１２６は、たとえば複数の電池９８に溶着される。
【００７８】
図７、図８および図９を参照して、第１保持部１０２は、Ｚ方向における一端部（この実施形態では側壁部６６（図５参照）側の端部）に、複数の電池９８の側壁部６６側への移動を規制する複数の規制部１２８，１３０，１３２を有する。複数の規制部１２８，１３０，１３２は、Ｘ方向に間隔をおいて設けられる。この実施形態では、１つの規制部１２８、６つの規制部１３０および１つの規制部１３２が設けられる。
【００７９】
規制部１２８は、第１保持部１０２のＸ方向における一端部（この実施形態ではボス部１０８ａ，１０８ｃ（図８参照）側の端部）において側壁部６６（図５参照）側に向かって突出しかつＹ方向に延びる。図８を参照して、側壁部６６（図５参照）側から見た場合に（Ｚ方向視において）、１行目の各電池９８の一部は規制部１２８の一部に重なる。これにより、規制部１２８によって１行目の複数の電池９８の移動が規制される。
【００８０】
図８を参照して、各規制部１３０は、リード部材１２０とリード部材１２０との間に設けられる。図９を参照して、各規制部１３０は、Ｙ方向に互いに離れてかつＹ方向に並んで設けられる複数の突出部１３４，１３６，１３８，１４０を含む。突出部１３４，１３６，１３８，１４０は、側壁部６６（図５参照）側に向かって突出しかつＹ方向に延びるように設けられる。図８を参照して、側壁部６６（図５参照）側から見た場合に、２行目〜１３行目の各電池９８の一部は、規制部１３０の一部に重なる。これにより、複数の規制部１３０によって２行目〜１３行目の複数の電池９８の移動が規制される。
【００８１】
図７、図８および図９を参照して、規制部１３２は、第１保持部１０２のＸ方向における他端部（この実施形態ではボス部１０８ｂ，１０８ｄ（図８参照）側の端部）において側壁部６６（図５参照）側に向かって突出しかつＹ方向に延びる。図８を参照して、側壁部６６（図５参照）側から見た場合に、１４行目の各電池９８の一部は規制部１３２の一部に重なる。これにより、規制部１３２によって１４行目の複数の電池９８の移動が規制される。
【００８２】
図１０は、電池保持部１００の端面１１０を示す図である。
【００８３】
図１０を参照して、端面１１０は、側壁部６６（図５参照）側に突出する突出面１１０ａ、側壁部６６側に突出する複数の突出面１１０ｂ，１１０ｃ，１１０ｄ，１１０ｅ、側壁部６６側に突出する突出面１１０ｆ、および主面１１０ｇを含む。なお、図１０においては、主面１１０ｇを理解し易くするために、主面１１０ｇにハッチングを付している。
【００８４】
図９および図１０を参照して、この実施形態では、突出面１１０ａは、規制部１２８の側壁部６６（図５参照）側の端面であり、突出面１１０ｂは、突出部１３４の側壁部６６側の端面であり、突出面１１０ｃは、突出部１３６の側壁部６６側の端面であり、突出面１１０ｄは、突出部１３８の側壁部６６側の端面であり、突出面１１０ｅは、突出部１４０の側壁部６６側の端面であり、突出面１１０ｆは、規制部１３２の側壁部６６側の端面である。また、図１０を参照して、主面１１０ｇは、端面１１０のうち、側壁部６６側から見た場合に複数の突出面１１０ａ〜１１０ｆを除く領域である。複数の突出面１１０ａ〜１１０ｆは平坦面として形成される。同様に、主面１１０ｇは平坦面として形成される。
【００８５】
図８を参照して、各突出面１１０ｂは、リード部材１２０とリード部材１２０との間に形成される。したがって、複数の突出面１１０ｂは、Ｘ方向に間隔をおいて形成される。同様に、突出面１１０ｃ，１１０ｄ，１１０ｅはそれぞれ、リード部材１２０とリード部材１２０との間に形成される。したがって、複数の突出面１１０ｃ、複数の突出面１１０ｄおよび複数の突出面１１０ｅはそれぞれ、Ｘ方向に間隔をおいて形成される。
【００８６】
図７および図９を参照して、複数の突出面１１０ａ〜１１０ｆのＺ方向における位置は互いに等しい。複数の突出面１１０ａ〜１１０ｆは、側壁部６６（図５参照）に対して平行に設けられる。同様に、主面１１０ｇは、側壁部６６に対して平行に設けられる。したがって、主面１１０ｇは、複数の突出面１１０ａ〜１１０ｆに対して平行に設けられる。複数の突出面１１０ａ〜１１０ｆおよび主面１１０ｇは、ＸＹ平面に対して平行に設けられる。言い換えると、複数の突出面１１０ａ〜１１０ｆおよび主面１１０ｇは、Ｚ方向に直交する。複数の突出面１１０ａ〜１１０ｆは、Ｚ方向において、主面１１０ｇおよび複数のリード部材１２０（図７参照）よりも側壁部６６（図５参照）側に位置する。言い換えると、突出面１１０ａ〜１１０ｆは、Ｚ方向において、主面１１０ｇおよび複数のリード部材１２０に対して側壁部６６側に位置する。複数の突出面１１０ｂ〜１１０ｅは、側壁部６６側から見た場合に、複数のリード部材１２０の間に位置する。突出面１１０ｂのＹ方向の寸法（幅）は、突出面１１０ｂのＸ方向の寸法（幅）よりも大きい。同様に、突出面１１０ｃ〜１１０ｅのＹ方向の寸法（幅）はそれぞれ、突出面１１０ｃ〜１１０ｅのＸ方向の寸法（幅）よりも大きい。
【００８７】
図７を参照して、第２保持部１０４は、Ｚ方向における他端部（この実施形態では側壁部７２（図５参照）側の端部）に、複数の電池９８の側壁部７２側への移動を規制する複数の規制部１４２を有する。この実施形態では、７つの規制部１４２が設けられる（図７では、７つの規制部１４２のうちの５つの規制部１４２を示している）。各規制部１４２は、側壁部７２側に向かって突出しかつＹ方向に延びる。複数の規制部１４２は、Ｘ方向に間隔をおいて設けられる。この実施形態では、各規制部１４２は、複数のリード部材１２２，１２４，１２６の間に設けられる。
【００８８】
図７を参照して、側壁部７２（図５参照）側から見た場合に（Ｚ方向視において）、各電池９８の一部と規制部１４２の一部とが重なる。これにより、複数の規制部１４２によって複数の電池９８の移動が規制される。なお、この実施形態では、第１保持部１０２の規制部１３０は４つの突出部１３４，１３６，１３８，１４０を含んで構成されているが、第２保持部１０４の規制部１４２はＹ方向に延びる１つの突出部として構成される。
【００８９】
端面１１６は、側壁部７２（図５参照）側に突出する複数の突出面１１６ａ、および主面１１６ｂを含む。この実施形態では、突出面１１６ａは、規制部１４２の側壁部７２側の端面である。複数の突出面１１６ａは、Ｘ方向に間隔をおいて形成される。また、主面１１６ｂは、端面１１６のうち、側壁部７２側から見た場合に複数の突出面１１６ａを除く領域である。
【００９０】
この実施形態では、複数の突出面１１６ａのＺ方向における位置は互いに等しい。複数の突出面１１６ａは、側壁部７２に対して平行に設けられる。同様に、主面１１６ｂは、側壁部７２に対して平行に設けられる。したがって、主面１１６ｂは、複数の突出面１１６ａに対して平行に設けられる。複数の突出面１１６ａおよび主面１１６ｂは、ＸＹ平面に対して平行に設けられる。言い換えると、複数の突出面１１６ａおよび主面１１６ｂは、Ｚ方向に直交する。複数の突出面１１６ａは、Ｚ方向において、主面１１６ｂおよび複数のリード部材１２２，１２４，１２６よりも側壁部７２側に位置する。言い換えると、複数の突出面１１６ａは、Ｚ方向において、主面１１６ｂおよび複数のリード部材１２２，１２４，１２６に対して側壁部７２側に位置する。複数の突出面１１６ａは、側壁部７２側から見た場合に、複数のリード部材１２２，１２４，１２６の間に位置する。突出面１１６ａのＹ方向の寸法（幅）は、突出面１１６ａのＸ方向の寸法（幅）よりも大きい。
【００９１】
図１１は、第２電池ユニット６４を示す断面図解図である。なお、図１１においては、図面が煩雑になることを避けるために、第２電池ユニット６４の一部の図示を省略している。
【００９２】
図１１を参照して、第２電池ユニット６４は、互いに平行に配置される複数の電池９８および複数の電池９８を保持する電池保持部１４４を有する。電池保持部１４４は、略直方体状の第１保持部１４６と略直方体状の第２保持部１４８とを含む。
【００９３】
第１保持部１４６は、第１電池ユニット６２（図７参照）の第２保持部１０４（図７参照）と同様に、Ｘ方向に１４行かつＹ方向に７列になるように格子状に配列される複数の貫通孔１５０を有する。複数の貫通孔１５０は、第１保持部１４６の一方側（この実施形態では側壁部９２（図５参照）側）の端面１５２と他方側（この実施形態では第２保持部１４８側）の端面１５４とを連通させるようにＺ方向に延びる。
【００９４】
第２保持部１４８は、第１電池ユニット６２（図７参照）の第１保持部１０２（図７参照）と同様に、Ｘ方向に１４行かつＹ方向に７列になるように格子状に配列される複数の貫通孔１５６、およびボス部１５８ａ，１５８ｂ，１５８ｃ，１５８ｄ（図５参照）を有する。複数の貫通孔１５６は、第２保持部１４８の一方側（この実施形態では側壁部８２（図５参照）側）の端面１６０と他方側（この実施形態では第１保持部１４６側）の端面１６２とを連通させるようにＺ方向に延びる。端面１５２および端面１６０はそれぞれ、Ｚ方向に交差する。言い換えると、端面１５２および端面１６０はそれぞれ、少なくともＸ方向とＹ方向とに延びる。端面１５２と端面１６０とは、Ｚ方向に離れて形成される。
【００９５】
第２電池ユニット６４においては、端面１５２が第１端面に相当し、端面１６０が第２端面に相当する。この実施形態では、端面１５２は側壁部９２（図５参照）に対向し、端面１６０は側壁部８２（図５参照）に対向する。
【００９６】
図１１を参照して、複数の貫通孔１５０と複数の貫通孔１５６とがそれぞれ連通するようにかつ複数の電池９８がそれぞれ一対の貫通孔１５０，１５６に収容されるように、第１保持部１４６と第２保持部１４８とが接続される。複数の電池９８は、Ｘ方向に３行以上かつＹ方向に３列以上に配列される。この実施形態では、複数の電池９８は、Ｘ方向に１４行かつＹ方向に７列になるように格子状に配列される。第２電池ユニット６４の複数の電池９８は、たとえば第１電池ユニット６２の複数の電池９８と同様に、奇数行に配置される電池９８と偶数行に配置される電池９８とが逆方向を向くように電池保持部１４４に保持される。
【００９７】
第１保持部１４６の端面１５２側において複数の電池９８を電気的に接続するように、Ｙ方向に延びる複数の板状のリード部材１６４，１６６，１６８が設けられる。この実施形態では、１つのリード部材１６４、６つのリード部材１６６および１つのリード部材１６８が設けられる。複数のリード部材１６４，１６６，１６８は、第１電池ユニット６２の複数のリード部材１２２，１２４，１２６と同様に、端面１５２と側壁部９２（図５参照）との間においてＸ方向に間隔をおいて設けられる。具体的には、１行目の複数の電池９８にリード部材１６４が接続される。２行目から１３行目の複数の電池９８に６つのリード部材１６６が接続される。より具体的には、２つの行の複数の電池９８毎に１つのリード部材１６６が接続される。１４行目の複数の電池９８にリード部材１６８が接続される。
【００９８】
第２保持部１４８の端面１６０側において複数の電池９８を電気的に接続するように、Ｙ方向に延びる複数（この実施形態では７つ）の板状のリード部材１７０が設けられる。複数のリード部材１７０は、第１電池ユニット６２（図７参照）のリード部材１２０（図７参照）と同様に、端面１６０と側壁部８２（図５参照）との間においてＸ方向に間隔をおいて設けられる。より具体的には、２つの行の複数の電池９８毎に１つのリード部材１７０が設けられる。
【００９９】
リード部材１６４，１６６，１６８，１７０は、たとえば複数の電池９８に溶着される。
【０１００】
図１１を参照して、第１保持部１４６は、第１電池ユニット６２（図７参照）の第２保持部１０４（図７参照）と同様に、複数（この実施形態では７つ）の規制部１７２を有する。各規制部１７２は、側壁部９２（図５参照）側に向かって突出しかつＹ方向に延びる。複数の規制部１７２は、Ｘ方向に間隔をおいて設けられる。なお、第２保持部１０４（図７参照）の規制部１４２（図７参照）は１つの突出部として構成されているが、規制部１７２は、第１保持部１０２（図９参照）の規制部１３０（図９参照）と同様に、複数の突出部を含んで構成される。詳細な説明は省略するが、端面１５２は、主面および複数の突出面を含む。端面１５２の複数の突出面は、規制部１７２の複数の突出部の側壁部９２側の端面である。端面１５２の主面は、端面１５２のうち、側壁部９２側から見た場合に複数の突出面を除く領域である。
【０１０１】
第２保持部１４８は、第１電池ユニット６２の第１保持部１０２（図９参照）と同様に、複数の規制部１７４，１７６，１７８を有する。この実施形態では、１つの規制部１７４、６つの規制部１７６および１つの規制部１７８が設けられる。複数の規制部１７４，１７６，１７８は、側壁部８２（図５参照）側に向かって突出しかつＹ方向に延びる。複数の規制部１７４，１７６，１７８は、Ｘ方向に間隔をおいて設けられる。なお、第１保持部１０２（図９参照）の規制部１３０（図９参照）は複数の突出部１３４，１３６，１３８，１４０（図９参照）を含んで構成されているが、規制部１７６は１つの突出部として構成される。規制部１７４は規制部１２８（図９参照）と同様の構成を有し、規制部１７８は規制部１３２（図９参照）と同様の構成を有する。詳細な説明は省略するが、端面１６０は、主面および複数の突出面を含む。端面１６０の複数の突出面は、複数の規制部１７４，１７６，１７８の側壁部８２側の端面である。端面１６０の主面は、端面１６０のうち、側壁部８２側から見た場合に複数の突出面を除く領域である。
【０１０２】
図５を参照して、第１電池ユニット６２と第２電池ユニット６４とを連結するように、接続ユニット１８０、リード部材１８２、およびリード部材１８４が設けられる。接続ユニット１８０は、基板１８６および基板１８６に固定される複数のリード部材１８８を含む。接続ユニット１８０は、ケース部材５６の貫通孔７２ａおよびケース部材５８の貫通孔８２ａに挿通され、リード部材１８２は、ケース部材５６の貫通孔７２ｂおよびケース部材５８の貫通孔８２ｂに挿通され、リード部材１８４は、ケース部材５６の貫通孔７２ｃおよびケース部材５８の貫通孔８２ｃに挿通される。第１電池ユニット６２の複数の電池９８（図７参照）と第２電池ユニット６４の複数の電池９８（図１１参照）とは、リード部材１８２、リード部材１８４および複数のリード部材１８８を介して電気的に接続される。この実施形態では、ケース５２に設けられるプラスの電源端子（図示せず）およびマイナスの電源端子（図示せず）を介して第１電池ユニット６２および第２電池ユニット６４の複数の電池９８に対して電力の入出力が行われる。
【０１０３】
図５を参照して、第１電池ユニット６２は、ケース部材５４とケース部材５６とによって収容され、第２電池ユニット６４は、ケース部材５８とケース部材６０とによって収容される。ケース部材５４の周壁部６８とケース部材５６の周壁部７４とは、環状のシール部材１９０を挟んで互いに組み合わされる。ケース部材５８の周壁部８４とケース部材６０の周壁部９４とは、環状のシール部材１９２を挟んで互いに組み合わされる。
【０１０４】
シール部材１９０およびシール部材１９２としては、種々のガスケットを用いることができる。この実施形態では、シール部材１９０，１９２として、たとえば、樹脂（ゴムまたはプラスチック等）、金属または液体によって構成されたガスケットを用いることができる。後述のシール部材１９６ａ，１９６ｂ，１９８，２００，２０４，２０８についても同様である。
【０１０５】
ケース部材５６とケース部材５８とに挟まれるように、ナット１９４ａ，１９４ｂ，１９４ｃ，１９４ｄが設けられる。
【０１０６】
ナット１９４ａは、ケース部材５６のボス部８０ａとケース部材５８のボス部９０ａとによって収容され、ナット１９４ｂは、ケース部材５６のボス部８０ｂとケース部材５８のボス部９０ｂとによって収容される。ボス部８０ａとボス部９０ａとは、環状のシール部材１９６ａを挟んで互いに組み合わされ、ボス部８０ｂとボス部９０ｂは、環状のシール部材１９６ｂを挟んで互いに組み合わされる。
【０１０７】
ナット１９４ｃ，１９４ｄは、ケース部材５６の連結部７８とケース部材５８の連結部８８とによって収容される。ナット１９４ｃは、ボス部８０ｃとボス部９０ｃとに挟まれるように設けられ、ナット１９４ｄは、ボス部８０ｄとボス部９０ｄとに挟まれるように設けられる。連結部７８と連結部８８とは、環状のシール部材１９８を挟んで互いに組み合わされる。ケース部材５６の連結部７６とケース部材５８の連結部８６とは、環状のシール部材２００を挟んで互いに組み合わされる。
【０１０８】
上記のようにして組み合わされたケース５２は、複数のボルト２０２によって第１電池ユニット６２および第２電池ユニット６４に連結される。
【０１０９】
この実施形態では、４本のボルト２０２が、ケース部材５４のボス部７０ａ，７０ｂ，７０ｃ，７０ｄ、第１電池ユニット６２のボス部１０８ａ，１０８ｂ，１０８ｃ，１０８ｄ、およびケース部材５６のボス部８０ａ，８０ｂ，８０ｃ，８０ｄに差し込まれる。同様に、４本のボルト２０２（図５においては３本のボルト２０２のみ図示）が、ケース部材６０のボス部９６ａ，９６ｂ，９６ｃ，９６ｄ、第２電池ユニット６４のボス部１５８ａ，１５８ｂ，１５８ｃ，１５８ｄ、およびケース部材５８のボス部９０ａ，９０ｂ，９０ｃ，９０ｄに差し込まれる。複数のボルト２０２の先端部は、ナット１９４ａ，１９４ｂ，１９４ｃ，１９４ｄに固定される。これにより、ケース５２、第１電池ユニット６２および第２電池ユニット６４が連結される。なお、ボス部７０ａ，７０ｂ，７０ｃ，７０ｄ，９６ａ，９６ｂ，９６ｃ，９６ｄにはそれぞれ、環状のシール部材２０４が嵌め込まれる。
【０１１０】
図６を参照して、ケース５２と第１電池ユニット６２とを連結する際には、第１保持部１０２の規制部１２８と規制部１３０との間、規制部１３０と規制部１３０との間、および規制部１３０と規制部１３２との間にそれぞれ側壁部６６の突出部６６ｃが配置される。これにより、複数の突出部６６ｃと複数のリード部材１２０とを近接または接触させることができる。すなわち、側壁部６６と複数のリード部材１２０とを近接または接触させることができる。同様に、第２保持部１０４の規制部１４２と規制部１４２との間に側壁部７２の突出部７２ｅが配置される。これにより、複数の突出部７２ｅと複数のリード部材１２４とを近接または接触させることができる。すなわち、側壁部７２と複数のリード部材１２４とを近接または接触させることができる。
【０１１１】
同様に、図５および図１１を参照して、ケース５２と第２電池ユニット６４とを連結する際には、第１保持部１４６の規制部１７２と規制部１７２との間に側壁部９２の突出部９２ｃが配置される。また、第２保持部１４８の規制部１７４と規制部１７６との間、規制部１７６と規制部１７６との間、および規制部１７６と規制部１７８との間にそれぞれ側壁部８２の突出部（図示せず）が配置される。
【０１１２】
図８を参照して、ケース５２と第１電池ユニット６２とが連結された状態では、Ｚ方向視において放熱部材５４ｂと第１保持部１０２の端面１１０とが重なる。同様に、ケース５２と第２電池ユニット６４とが連結された状態では、Ｚ方向視において放熱部材６０ｂ（図３参照）と第１保持部１４６（図１１参照）の端面１５２（図１１参照）とが重なる。この実施形態では、Ｚ方向視において、放熱部材５４ｂは端面１１０の全体を覆うように設けられ、放熱部材６０ｂは端面１５２の全体を覆うように設けられる。したがって、Ｚ方向視において、放熱部材５４ｂの面積は端面１１０の面積よりも大きく、放熱部材６０ｂの面積は端面１５２の面積よりも大きい。
【０１１３】
図４および図５を参照して、放熱部材５４ｂおよび側壁部６６は、複数（この実施形態では１８本）のネジ２０６によって第１電池ユニット６２の第１保持部１０２の端面１１０（図７参照）に固定される。この実施形態では、放熱部材５４ｂおよび側壁部６６は、Ｘ方向における複数位置およびＹ方向における複数位置において端面１１０に固定される。より具体的には、放熱部材５４ｂおよび側壁部６６は、Ｘ方向において６つの位置およびＹ方向において３つの位置において端面１１０に固定される。なお、放熱部材５４ｂおよび側壁部６６を端面１１０に固定するための固定部材としてのネジ２０６は、通常のネジ（ボルト）であってもよく、タッピングスクリュー等の特殊なネジであってもよい。
【０１１４】
図１２は、放熱部材５４ｂ、側壁部６６、第１保持部１０２およびネジ２０６の関係を示す断面図であり、図１３は、ケース部材５４を示す分解斜視図である。
【０１１５】
図４、図９および図１２を参照して、第１保持部１０２は、Ｚ方向に延びかつ端面１１０の主面１１０ｇにおいて開口する複数（この実施形態では１８個）のネジ穴１０２ａを有する。ネジ穴１０２ａは、Ｘ方向における複数位置およびＹ方向における複数位置に形成される。この実施形態では、ネジ穴１０２ａは、Ｘ方向において６つの位置およびＹ方向において３つの位置に形成される。
【０１１６】
図９を参照して、この実施形態では、側壁部６６（図５参照）側から見た場合に、突出面１１０ｂ（突出部１３４）と突出面１１０ｃ（突出部１３６）との間、突出面１１０ｃ（突出部１３６）と突出面１１０ｄ（突出部１３８）との間、および突出面１１０ｄ（突出部１３８）と突出面１１０ｅ（突出部１４０）との間にそれぞれネジ穴１０２ａが形成される。
【０１１７】
図１３を参照して、放熱部材５４ｂは、複数の貫通孔５４ｃを有する。複数の貫通孔５４ｃは、複数のネジ穴１０２ａ（図９参照）に対応するように形成される。したがって、この実施形態では、貫通孔５４ｃは、Ｘ方向において６つの位置およびＹ方向において３つの位置に形成される。
【０１１８】
本体部５４ａの側壁部６６は、外面６６ａ側に円筒状の複数の凸部６６ｄを有する。複数の凸部６６ｄは、放熱部材５４ｂの複数の貫通孔５４ｃに対応するように設けられる。また、側壁部６６の外面６６ａは、放熱部材５４ｂを配置するための凹部６６ｅを有する。凹部６６ｅは、第１電池ユニット６２（図５参照）側に向かって凹むように設けられる。
【０１１９】
図４および図１２を参照して、側壁部６６は、内面６６ｂ側に円筒状の複数の凸部６６ｆを有する。複数の凸部６６ｆは、複数の凸部６６ｄに対応するように設けられる。図１２および図１３を参照して、側壁部６６はさらに、複数の貫通孔６６ｇを有する。図１２を参照して、貫通孔６６ｇは断面円形状（ＸＹ平面に対して平行な断面において）を有し、凸部６６ｄおよび凸部６６ｆを通って側壁部６６をＺ方向に貫通するように設けられる。貫通孔６６ｇは、側壁部６６の内面６６ｂにおいて開口する小径部６６ｈおよび側壁部６６の外面６６ａにおいて開口しかつ小径部６６ｈよりも大きい直径を有する大径部６６ｉを含む。Ｚ方向視において、小径部６６ｈおよび大径部６６ｉは同心状に設けられる。
【０１２０】
この実施形態では、複数の凸部６６ｄ、複数の凸部６６ｆ、および複数の貫通孔６６ｇは、複数のネジ穴１０２ａに対応するようにＸ方向における複数位置およびＹ方向における複数位置に形成される。したがって、この実施の形態では、凸部６６ｄ、凸部６６ｆおよび貫通孔６６ｇは、Ｘ方向において６つの位置およびＹ方向において３つの位置に形成される。
【０１２１】
図４および図１２を参照して、突出部１３４と突出部１３６との間、突出部１３６と突出部１３８との間、および突出部１３８と突出部１４０との間にそれぞれ側壁部６６の凸部６６ｆが配置される。
【０１２２】
図１２および図１３を参照して、複数の凸部６６ｄが複数の貫通孔５４ｃ内にそれぞれ位置するように、凹部６６ｅに放熱部材５４ｂが配置される。上述したように、本体部５４ａ（側壁部６６）と放熱部材５４ｂとは、たとえばインサート成形または溶着等によって一体的に構成される。この実施形態では、放熱部材５４ｂは、側壁部６６をＺ方向に貫通しないように側壁部６６の外面６６ａに設けられる。側壁部６６の外面６６ａは、凹部６６ｅにおいて放熱部材５４ｂに接触する。
【０１２３】
図１２を参照して、貫通孔６６ｇの大径部６６ｉ内に、環状のシール部材２０８が嵌め込まれる。シール部材２０８を介してネジ２０６が貫通孔６６ｇに差し込まれ、ネジ２０６がネジ穴１０２ａに螺合される。この実施形態では、側壁部６６の内面６６ｂが複数の突出面１１０ａ〜１１０ｆ（図９参照）および主面１１０ｇに接触するように、複数のネジ２０６が締め付けられる。
【０１２４】
図３を参照して、放熱部材６０ｂは、貫通孔５４ｃ（図１３参照）と同様の構成を有する複数の貫通孔６０ｃを有する。図３〜図５を参照して、ケース部材６０の側壁部９２は、凸部６６ｄ（図１３参照）と同様の構成を有する複数の凸部９２ｄ（図３参照）、凹部６６ｅ（図１３参照）と同様の構成を有する凹部９２ｅ（図４参照）、凸部６６ｆ（図１２参照）と同様の構成を有する複数の凸部９２ｆ（図５参照）、および貫通孔６６ｇ（図１２参照）と同様の構成を有する複数の貫通孔（図示せず）を有する。図３を参照して、複数の凸部９２ｄが複数の貫通孔６０ｃ内にそれぞれ位置するように、凹部９２ｅ（図４参照）に放熱部材６０ｂが配置される。側壁部９２は、側壁部６６と同様に、複数のネジ２０６によって第２電池ユニット６４の第１保持部１４６の端面１５２（図１１参照）に固定される。各ネジ２０６は、シール部材２０８を介して側壁部９２の貫通孔（図示せず）に差し込まれる。この実施形態では、凸部６６ｄのうち放熱部材５４ｂから露出する円環状の領域６６ｊ（図４参照）、および凸部９２ｄのうち放熱部材６０ｂから露出する円環状の領域９２ｇ（図５参照）がそれぞれ露出部に相当する。
【０１２５】
以下、電池パック４０の作用効果を説明する。
電池パック４０では、第１電池ユニット６２の複数の電池９８で発生した熱は、電池保持部１００に伝達される。ケース５２の側壁部６６は、複数の電池９８から電池保持部１００に伝達された熱を電池保持部１００の端面１１０から受けて放熱部材５４ｂに伝達する。したがって、電池パック４０では、第１電池ユニット６２の複数の電池９８で発生した熱は、電池保持部１００に伝達された後、電池保持部１００の端面１１０からケース５２の側壁部６６を介して放熱部材５４ｂに伝達され、放熱される。ここで、電池パック４０では、ケース５２の側壁部６６は複数位置で端面１１０に固定されるので、側壁部６６と端面１１０との密着性を高めることができる。これにより、電池保持部１００からケース５２へ伝達される熱量を増加させることができる。特に、側壁部６６と端面１１０との密着性が高まることによって、熱がこもり易い電池保持部１００の中央部の熱も、効率よくケース５２に伝達できる。
【０１２６】
また、電池保持部１００の端面１１０および端面１１６はそれぞれ、Ｚ方向に交差する。言い換えると、端面１１０および端面１１６はそれぞれ、少なくともＸ方向とＹ方向とに延びる。ここで、電池パック４０では、複数の電池９８は、Ｘ方向に３行以上かつＹ方向に３列以上に配列される。この場合、複数の電池９８を保持する電池保持部１００のＸ方向およびＹ方向の寸法が大きくなるので、Ｘ方向とＹ方向とに延びる端面１１０および端面１１６の面積も大きくなる。これにより、電池保持部１００から端面１１０を介してケース５２の側壁部６６に伝達される熱量を十分に増やすことができる。また、端面１１０の面積が大きくなることによって、端面１１０に固定される側壁部６６の剛性を容易に向上させることができる。これにより、ケース５２の変形を十分に抑制できるので、電池パック４０の防水性が向上する。
【０１２７】
側壁部９２と第２電池ユニット６４の電池保持部１４４との関係も、側壁部６６と第１電池ユニット６２の電池保持部１００との上述の関係と同様である。
【０１２８】
また、放熱部材５４ｂは側壁部６６の外面６６ａに接触するので、電池保持部１００から側壁部６６に伝達された熱を確実に放熱部材５４ｂに伝達できる。さらに、放熱部材５４ｂは側壁部６６をＺ方向に貫通しないので、側壁部６６に放熱部材５４ｂを設けても、電池パック４０の防水性は低下しない。放熱部材６０ｂと側壁部９２との関係についても同様である。
【０１２９】
以上の結果、電池パック４０の放熱性および防水性を向上させることができる。
【０１３０】
ケース５２は、Ｚ方向において複数のケース部材５４，５６，５８，６０に分割されるので、ケース５２をＸ方向またはＹ方向に分割しなくてもよい。したがって、側壁部６６をＸ方向またはＹ方向に分割しなくてもよい。この場合、側壁部６６を分割して構成する場合に比べて、側壁部６６を端面１１０に容易に固定できるとともに側壁部６６の熱伝導性を向上できる。また、側壁部６６を端面１１０により安定して接触させることができる。側壁部９２についても同様である。さらに、電池パック４０では、側壁部６６と端面１１０とが接触するので、ケース部材５４とケース部材５６との接続部を端面１１０に接触させなくてもよい。この場合、ケース部材５４とケース部材５６との接続部の設計自由度が向上するので、ケース部材５４とケース部材５６との接続部の水密性を容易に向上できる。同様に、側壁部９２と端面１５２とが接触するので、ケース部材５８とケース部材６０との接続部を端面１５２に接触させなくてもよい。これにより、ケース部材５８とケース部材６０との接続部の設計自由度が向上するので、ケース部材５８とケース部材６０との接続部の水密性を向上できる。これらの結果、優れた放熱性を確保しつつ電池パック４０の防水性を十分に向上できる。
【０１３１】
電池パック４０では、側壁部６６を端面１１０に固定するための複数のネジ２０６はそれぞれ、側壁部６６の外面６６ａのうち放熱部材５４ｂから露出する領域６６ｊを貫通するように設けられる。この場合、複数のネジ２０６を差し込むための複数の貫通孔を放熱部材５４ｂに設けなくてよいので、複数のネジ２０６と放熱部材５４ｂとの間を封止する必要がない。したがって、複数のネジ２０６と放熱部材５４ｂとの間を封止するための複数のシール部材を設けなくてよい。同様に、側壁部９２を端面１５２に固定するための複数のネジ２０６は、側壁部９２の外面９２ａのうち放熱部材６０ｂから露出する領域９２ｇを貫通するように設けられる。この場合、複数のネジ２０６を差し込むための複数の貫通孔を放熱部材６０ｂに設けなくてよいので、複数のネジ２０６と放熱部材６０ｂとの間を封止する必要がない。したがって、複数のネジ２０６と放熱部材６０ｂとの間を封止するための複数のシール部材を設けなくてよい。これらの結果、電池パック４０の部品点数の増加を防止できる。
【０１３２】
側壁部６６は、Ｘ方向における複数位置およびＹ方向における複数位置で電池保持部１００の端面１１０に固定される。この場合、ケース５２（ケース部材５４）の成形精度を高めることなく側壁部６６と端面１１０とを容易に接触させることができるとともに、側壁部６６と端面１１０との密着性を十分に高めることができる。これにより、電池保持部１００からケース５２へ伝達される熱量を十分に増加させることができる。同様に、側壁部９２は、Ｘ方向における複数位置およびＹ方向における複数位置で電池保持部１４４の端面１５２に固定される。この場合、ケース５２（ケース部材６０）の成形精度を高めることなく側壁部９２と端面１５２とを容易に接触させることができるとともに、側壁部９２と端面１５２との密着性を十分に高めることができる。これにより、電池保持部１４４からケース５２へ伝達される熱量を十分に増加させることができる。
【０１３３】
側壁部６６は、複数のリード部材１２０の間の複数位置において電池保持部１００の端面１１０に固定されるので、側壁部６６と端面１１０との接触部が一か所に偏ってしまうことを防止できる。それにより、電池保持部１００からケース５２に効率よく熱を伝達できる。同様に、側壁部９２は、複数のリード部材１６４，１６６，１６８の間の複数位置において電池保持部１４４の端面１５２に固定されるので、側壁部９２と端面１５２との接触部が一か所に偏ってしまうことを防止できる。それにより、電池保持部１４４からケース５２に効率よく熱を伝達できる。
【０１３４】
側壁部６６（本体部５４ａ）と放熱部材５４ｂとをインサート成形によって一体的に成形する場合には、凸部６６ｄおよび凹部６６ｅを容易に形成できる。同様に、側壁部９２（本体部６０ａ）と放熱部材６０ｂとをインサート成形によって一体的に成形する場合には、凸部９２ｄおよび凹部９２ｅを容易に形成できる。これらの結果、ケース５２の成形が容易になる。
【０１３５】
電池パック４０では、放熱部材５４ｂ，６０ｂは金属材料および樹脂材料のうちの少なくとも一方を含む。この場合、簡単な構成で放熱部材５４ｂ，６０ｂの放熱量を増やすことができる。特に、放熱部材５４ｂ，６０ｂがアルミニウム、鉄、ステンレス、およびチタンのうちの少なくとも一つを含む場合には、放熱部材５４ｂ，６０ｂの放熱量を十分に増やすことができる。また、放熱部材５４ｂ，６０ｂが、炭素繊維強化樹脂を含む場合には、放熱部材５４ｂ，６０ｂを軽くしつつ放熱部材５４ｂ，６０ｂの強度を向上できる。これにより、電池パック４０を軽く構成できるとともに、電池パック４０の強度を向上できる。
【０１３６】
複数のケース部材５４，５６，５８，６０はシール部材１９０，１９２，１９６ａ，１９６ｂ，１９８，２００を挟んで互いに組み合わされる。これにより、電池パック４０の防水性を確実に向上できる。
【０１３７】
電池パック４０では、Ｚ方向視において、放熱部材５４ｂは第１保持部１０２の端面１１０と重なる。より具体的には、Ｚ方向視において、放熱部材５４ｂは端面１１０の全体を覆うように設けられる。これにより、端面１１０から側壁部６６を介して放熱部材５４ｂに効率よく熱を伝達できる。また、Ｚ方向視において放熱部材５４ｂの面積が十分に大きくなるので、放熱部材５４ｂにおいて効率よく放熱できる。同様に、Ｚ方向視において、放熱部材６０ｂは第１保持部１４６の端面１５２と重なる。より具体的には、Ｚ方向視において、放熱部材６０ｂは端面１５２の全体を覆うように設けられる。これにより、端面１５２から側壁部９２を介して放熱部材６０ｂに効率よく熱を伝達できるとともに、放熱部材６０ｂにおいて効率よく放熱できる。
【０１３８】
側壁部６６は、凸部６６ｆおいて電池保持部１００の端面１１０（主面１１０ｇ）に固定される。この場合、凸部６６ｆにおいて側壁部６６の剛性が向上するので、ネジ２０６（固定部材）の締め付け力等によって側壁部６６に変形が生じることを防止できる。これにより、側壁部６６と端面１１０とをより確実に接触させることができる。側壁部９２についても同様である。
【０１３９】
上述の実施形態では、第１電池ユニット６２および第２電池ユニット６４において、複数の電池９８が格子状に配列されているが、電池ユニットにおける複数の電池の配列例は上述の例に限定されない。たとえば、複数の電池が電池ユニットにおいて千鳥状に配列されてもよい。
【０１４０】
図１４は、複数の電池９８が千鳥状に配列された電池ユニット２１０を示す図である。
図１４を参照して、電池ユニット２１０は、互いに平行に配置される複数の電池９８および複数の電池９８を保持する電池保持部２１２を有する。複数の電池９８は、Ｘ方向に１４行およびＹ方向に８列になるように千鳥状に配置される。
【０１４１】
複数の電池９８の一端部を電気的に接続するように複数のリード部材２１４，２１６，２１８が設けられる。この実施形態では、１つのリード部材２１４、６つのリード部材２１６および１つのリード部材２１８が設けられる。詳細な説明は省略するが、電池９８の他端部を電気的に接続するように複数（この実施形態では７つ）のリード部材（図示せず）が設けられる。
【０１４２】
図１５は、電池保持部２１２を示す図である。
【０１４３】
図１４および図１５を参照して、電池保持部２１２は、それぞれＺ方向に交差する第１端面２２０および第２端面（図示せず）を有する。第１端面２２０および第２端面は、Ｚ方向に離れて形成される。電池保持部２１２の第１端面２２０側には、複数の規制部２２２，２２４が設けられる。複数の規制部２２２，２２４は、Ｘ方向において間隔をおいて設けられる。この実施形態では、６つの規制部２２２および１つの規制部２２４が設けられる。詳細な説明は省略するが、電池保持部２１２の第２端面（図示せず）側にも複数（たとえば８つ）の規制部が設けられる。
【０１４４】
図１４を参照して、複数の規制部２２２，２２４は、複数のリード部材２１４，２１６，２１８の間にそれぞれ設けられる。図１４および図１５を参照して、各規制部２２２は、Ｙ方向に互いに離れてかつＹ方向に並んで設けられる複数の突出部２２６，２２８，２３０，２３２を含む。
【０１４５】
図１５を参照して、第１端面２２０は、Ｚ方向に突出する複数の突出面２２０ａ，２２０ｂ，２２０ｃ，２２０ｄ、Ｚ方向に突出する突出面２２０ｅ、および主面２２０ｆを含む。図１４を参照して、突出面２２０ａは、突出部２２６のＺ方向における端面であり、突出面２２０ｂは、突出部２２８のＺ方向における端面であり、突出面２２０ｃは、突出部２３０のＺ方向における端面であり、突出面２２０ｄは、突出部２３２のＺ方向における端面であり、突出面２２０ｅは、規制部２２４のＺ方向における端面である。主面２２０ｆは、第１端面２２０のうち、Ｚ方向視において複数の突出面２２０ａ〜２２０ｅを除く領域である。
【０１４６】
この実施形態では、突出面２２０ａ〜２２０ｅおよび主面２２０ｆは平坦面として形成される。複数の突出面２２０ａ〜２２０ｅのＺ方向における位置は互いに等しい。突出面２２０ａのＹ方向の寸法（幅）は、突出面２２０ｂのＸ方向の寸法（幅）よりも大きい。同様に、突出面２２０ｂ〜２２０ｅのＹ方向の寸法（幅）はそれぞれ、突出面２２０ｂ〜２２０ｅのＸ方向の寸法（幅）よりも大きい。なお、突出面２２０ａ〜２２０ｅと主面２２０ｆとのＺ方向における位置関係は、上述の突出面１１０ａ〜１１０ｆと主面１１０ｇとのＺ方向における位置関係と同様である。
【０１４７】
詳細な説明は省略するが、電池保持部２１２の第２端面（図示せず）も主面および複数の突出面を含む。
【０１４８】
図１４および図１５を参照して、電池保持部２１２は、第１端面２２０の主面２２０ｆにおいて開口する複数のネジ穴２１２ａを有する。ネジ穴２１２ａは、Ｘ方向における複数位置およびＹ方向における複数位置に形成される。この実施形態では、ネジ穴２１２ａは、Ｘ方向において６つの位置およびＹ方向において３つの位置に形成される。
【０１４９】
電池ユニット２１０を収容するケース（図示せず）には、上述のケース５２と同様に、複数の凸部（図示せず）および複数の貫通孔（図示せず）が設けられる。具体的には、ケースの側壁部において複数のネジ穴２１２ａに対応する位置に、複数の凸部（図示せず）および複数の貫通孔（図示せず）が形成される。そして、各貫通孔にネジが差し込まれ、そのネジがネジ穴２１２ａに螺合される。これにより、ケース（図示せず）の側壁部（図示せず）がＸ方向における複数位置およびＹ方向における複数位置において第１端面２２０に固定される。
【０１５０】
電池ユニット２１０を備えた電池パックにおいても、上述の電池パック４０と同様の作用効果が得られる。したがって、電池パックの放熱性および防水性を向上できる。また、複数の電池９８を千鳥状に配置することによって、電池保持部２１２（第１端面２２０）のＸ方向の寸法を小さくできる。
【０１５１】
図１６は、電池パックの他の例を示す斜視図である。
【０１５２】
図１６に示す電池パック４０ａが上述の電池パック４０と異なるのは、ケース５２の代わりにケース５２ａが設けられている点である。ケース５２ａがケース５２と異なるのは、ケース部材５４の代わりにケース部材２３４が設けられている点、ケース部材６０の代わりにケース部材２３６が設けられている点である。ケース部材２３４およびケース部材２３６以外の電池パック４０ａの構成は電池パック４０の構成と等しいので、ケース部材２３４，２３６以外の電池パック４０ａの構成については説明を省略する。
【０１５３】
また、ケース部材２３４が上述のケース部材５４と異なるのは、本体部５４ａの代わりに本体部２３４ａが設けられている点および放熱部材５４ｂの代わりに放熱部材２３４ｂが設けられている点である。ケース部材２３６がケース部材６０と異なるのは、本体部６０ａの代わりに本体部２３６ａが設けられている点および放熱部材６０ｂの代わりに放熱部材２３６ｂが設けられている点である。
【０１５４】
本体部２３４ａが本体部５４ａと異なるのは、側壁部６６の代わりに側壁部２３８が設けられている点である。側壁部２３８以外の本体部２３４ａの構成は本体部５４ａの構成と等しいので、側壁部２３８以外の本体部２３４ａの構成については説明を省略する。本体部２３６ａが本体部６０ａと異なるのは、側壁部９２の代わりに側壁部２４０が設けられている点である。側壁部２４０以外の本体部２３６ａの構成は本体部６０ａの構成と等しいので、側壁部２４０以外の本体部２３６ａの構成については説明を省略する。なお、側壁部２３８は、側壁部６６と同様に、複数の突出部６６ｃ（図６参照）を含む内面６６ｂ、複数の凸部６６ｆ、および複数の貫通孔６６ｇ（図１３参照）を有する。また、側壁部２４０は、側壁部９２と同様に、複数の突出部９２ｃを含む内面９２ｂ、複数の凸部９２ｆ（図５参照）、および複数の貫通孔（図示せず）を有する。
【０１５５】
図１７は、ケース部材２３４を示す分解斜視図である。
【０１５６】
図１７を参照して、本体部２３４ａの側壁部２３８が本体部５４ａ（図１３参照）の側壁部６６（図１３参照）と異なるのは、複数の凸部６６ｄ（図１３参照）が設けられていない点、および外面２３８ａが凹部６６ｅ（図１３参照）の代わりに複数の凹部２３８ｂを有する点である。凹部２３８ｂは、Ｚ方向視において長方形状を有し、第１電池ユニット６２側に向かって凹むように設けられる。
【０１５７】
図１８は、ケース部材２３４、ケース部材５６および第１電池ユニット６２の関係を示す断面図である。
【０１５８】
図１７および図１８を参照して、複数の凹部２３８ｂは、内面６６ｂの複数の突出部６６ｃにそれぞれ対応するように設けられる。複数の凹部２３８ｂは、Ｘ方向に間隔をおいて並ぶように設けられる。このため、外面２３８ａはＹ方向に直交する断面において凹凸形状を有する。また、内面６６ｂは複数の突出部６６ｃを有するので、Ｙ方向に直交する断面において凹凸形状を有する。この実施形態では、Ｙ方向に直交する断面において側壁部２３８が凹凸形状を有するように、複数の凹部２３８ｂおよび複数の突出部６６ｃが設けられる。
【０１５９】
図１９は、放熱部材２３４ｂ、側壁部２３８および第１保持部１０２の関係を示す図である。
【０１６０】
図１７および図１９を参照して、放熱部材２３４ｂは、断面円形状を有する複数の貫通孔２４２を有する。図１９を参照して、貫通孔２４２は、放熱部材２３４ｂの内面２４４において開口する小径部２４２ａおよび放熱部材２３４ｂの外面２４６において開口しかつ小径部２４２ａよりも大きい直径を有する大径部２４２ｂを含む。Ｚ方向視において、小径部２４２ａおよび大径部２４２ｂは同心状に設けられる。
【０１６１】
図１８を参照して、放熱部材２３４ｂの内面２４４は、第１電池ユニット６２側に向かって突出する複数の突出部２４４ａを有する。突出部２４４ａは、側壁部２３８の凹部２３８ｂに嵌合しかつ接触するように設けられる。具体的には、突出部２４４ａは、凹部２３８ｂと同様に、Ｚ方向視において長方形状を有する。複数の突出部２４４ａは、Ｘ方向に間隔をおいて並ぶように設けられる。このため、内面２４４はＹ方向に直交する断面において凹凸形状を有する。この実施形態では、側壁部２３８の外面２３８ａおよび放熱部材２３４ｂの内面２４４は、外面２３８ａと内面２４４とが互いに嵌り合いかつ接触するように、それぞれＹ方向に直交する断面において凹凸形状を有する。
【０１６２】
図１７および図１８を参照して、放熱部材２３４ｂの外面２４６は、第１電池ユニット６２側に向かって凹む複数の凹部２４６ａを有する。図１８を参照して、複数の凹部２４６ａは、内面２４４の複数の突出部２４４ａにそれぞれ対応するように設けられる。複数の凹部２４６ａは、Ｘ方向に間隔をおいて並ぶように設けられる。このため、外面２４６はＹ方向に直交する断面において凹凸形状を有する。この実施形態では、Ｙ方向に直交する断面において放熱部材２３４ｂが凹凸形状を有するように、複数の突出部２４４ａおよび複数の凹部２４６ａが設けられる。
【０１６３】
図１７および図１８を参照して、この実施形態では、Ｚ方向視において、凹部２４６ａの面積（長さおよび幅）は凹部２３８ｂの面積（長さおよび幅）よりも小さく、突出部２４４ａ（図１８参照）の面積（長さおよび幅）よりも小さい。また、図１８を参照して、Ｚ方向視において、凹部２３８ｂの面積（長さおよび幅）は突出部６６ｃの面積（長さおよび幅）よりも小さく、突出部２４４ａの面積（長さおよび幅）は突出部６６ｃの面積（長さおよび幅）よりも小さい。
【０１６４】
図１６を参照して、放熱部材２３４ｂは、複数のネジ２０６によって側壁部２３８に固定される。より具体的には、図１９を参照して、貫通孔２４２の大径部２４２ｂおよび貫通孔６６ｇの大径部６６ｉにそれぞれシール部材２０８が設けられた状態で、ネジ２０６が貫通孔２４２および貫通孔６６gに差し込まれ、ネジ２０６がネジ穴１０２aに螺合される。これにより、放熱部材２３４ｂが側壁部２３８に固定されるとともに、側壁部２３８が第１保持部１０２の端面１１０に固定される。
【０１６５】
図１６を参照して、本体部２３６aの側壁部２４０が本体部６０a（図４参照）の側壁部９２（図４参照）と異なるのは、複数の凸部９２ｄ（図３参照）が設けられていない点、および外面２４０ａが凹部９２ｅ（図４参照）の代わりに複数の凹部２４０ｂ（図１６においては１つの凹部２４０ｂのみ図示）を有する点である。凹部２４０ｂは、本体部２３４ａ（図１７参照）の凹部２３８ｂ（図１７参照）と同様の形状を有する。複数の凹部２４０ｂは、内面９２ｂの複数の突出部９２ｃにそれぞれ対応するように設けられる。複数の凹部２４０ｂは、複数の凹部２３８ｂ（図１７参照）と同様に、Ｘ方向に間隔をおいて並ぶように設けられる。このため、外面２４０ａは、外面２３８ａ（図１７参照）と同様に、Ｙ方向に直交する断面において凹凸形状を有する。この実施形態では、Ｙ方向に直交する断面において側壁部２４０が凹凸形状を有するように、複数の凹部２４０ｂおよび複数の突出部９２ｃが設けられる。
【０１６６】
詳細な説明は省略するが、放熱部材２３６ｂは、貫通孔２４２（図１７参照）と同様の構成を有する複数の貫通孔（図示せず）を有する。また、放熱部材２３６ｂの内面２４８は、突出部２４４ａ（図１８参照）と同様の形状を有する複数の突出部２４８ａ（図１６においては１つの突出部２４８ａのみ図示）を有し、放熱部材２３６ｂの外面２５０は、凹部２４６ａ（図１７および図１８参照）と同様の形状を有する複数の凹部２５０ａ（図１６においては１つの凹部２５０ａのみ図示）を有する。これにより、放熱部材２３６ｂは、放熱部材２３４ｂと同様に、Ｙ方向に直交する断面において凹凸形状を有する。より具体的には、放熱部材２３６ｂは、側壁部２４０の外面２４０ａの凹凸形状に対応する凹凸形状を有する。放熱部材２３６ｂは、放熱部材２３４ｂと同様に、複数のネジ２０６によって側壁部２４０に固定される。
【０１６７】
この実施形態では、Ｚ方向視において、凹部２５０ａの面積（長さおよび幅）は凹部２４０ｂの面積（長さおよび幅）よりも小さく、突出部２４８ａの面積（長さおよび幅）よりも小さい。また、Ｚ方向視において、凹部２４０ｂの面積（長さおよび幅）は突出部９２ｃの面積（長さおよび幅）よりも小さく、突出部２４８ａの面積（長さおよび幅）は突出部９２ｃの面積（長さおよび幅）よりも小さい。
【０１６８】
図１６を参照して、放熱部材２３４ｂは、放熱部材５４ｂ（図８参照）と同様に、Ｚ方向視において第１保持部１０２の端面１１０（図８参照）と重なる。また、放熱部材２３６ｂは、放熱部材６０ｂ（図４参照）と同様に、Ｚ方向視において第１保持部１４６の端面１５２（図１１参照）と重なる。この実施形態では、Ｚ方向視において、放熱部材２３４ｂは端面１１０の全体を覆うように設けられ、放熱部材２３６ｂは端面１５２の全体を覆うように設けられる。したがって、Ｚ方向視において、放熱部材２３４ｂの面積は端面１１０の面積よりも大きく、放熱部材２３６ｂの面積は端面１５２の面積よりも大きい。なお、放熱部材２３４ｂ，２３６ｂにはそれぞれ、放熱部材５４ｂ，６０ｂの上述の材料を用いることができる。放熱部材２３４ｂの熱伝導率は、側壁部２３８（本体部２３４ａの熱伝導率よりも高い。放熱部材２３６ｂの熱伝導率は、側壁部２４０（本体部２３６ａ）の熱伝導率よりも高い。
【０１６９】
電池パック４０ａにおいても、上述の電池パック４０と同様の作用効果が得られる（但し、凸部６６ｄ、凸部９２ｄ、貫通孔５４ｃおよび貫通孔６０ｃについての作用効果を除く）。したがって、電池パック４０ａの放熱性および防水性を向上できる。
【０１７０】
また、電池パック４０ａでは、側壁部２３８の外面２４６と放熱部材２３４ｂの内面２４４とがそれぞれ凹凸形状を有しかつ互いに接触する。この場合、側壁部２３８と放熱部材２３４ｂとの接触面積を十分に大きくできるので、側壁部２３８から放熱部材２３４ｂに効率よく熱を伝達できる。側壁部２４０と放熱部材２３６ｂとの関係についても同様である。
【０１７１】
電池パック４０ａのようにそれぞれ断面凹凸形状を有する側壁部および放熱部材を有する電池パックにおいても、側壁部と放熱部材とがインサート成形または溶接等によって一体的に構成されてもよい。たとえば、側壁部と放熱部材とがインサート成形によって一体的に構成される場合には、側壁部と放熱部材との間に水等が入り込むことを防止できるので、大径部６６ｉ（図１９参照）にシール部材２０８を設けなくてもよい。また、大径部６６ｉ自体も設けなくてもよい。
【０１７２】
それぞれ断面凹凸形状を有する側壁部および放熱部材を有する電池パックにおいても、凸部６６ｄと同様の構成を有する複数の凸部を側壁部に設け、貫通孔５４ｃと同様の構成を有する複数の貫通孔を放熱部材に設けてもよい。
【０１７３】
それぞれ断面凹凸形状を有する側壁部および放熱部材を有する電池パックにおいても、複数の電池９８を千鳥状に配置してもよい。
【０１７４】
上述の電池パック４０，４０ａにおいて、ヒートシンクをさらに設けてもよい。たとえば、図４を参照して、周壁部６８の外面、側壁部７２の外面７２ｆ、周壁部７４の外面、側壁部８２の外面８２ｅ、周壁部８４の外面、および周壁部９４の外面のいずれかにヒートシンクを設けてもよい。
【０１７５】
ヒートシンクは、たとえば、ネジ２０６によって、ケース部材および電池保持部に固定されてもよい。この場合、電池保持部、ケース部材およびヒートシンクの密着性を向上できるので、電池パックの放熱性を向上できる。
【０１７６】
ケース部材の周壁部の各面にそれぞれヒートシンクを設ける場合には、各面に設けられたヒートシンクを互いに連結してもよい。この場合、複数のヒートシンクの温度勾配を緩やかにすることができ、電池パックの放熱性を向上できる。
【０１７７】
ヒートシンクの代わりに放熱板を設けてもよい。
【０１７８】
上述の実施形態では、第１側壁部としての側壁部６６，２３８を端面１１０に固定する場合について説明したが、側壁部７２（図５参照）も同様に電池保持部１００の端面１１６（図７参照）に固定してもよい。同様に、側壁部８２を電池保持部１４４の端面１６０（図１１参照）に固定してもよい。
【０１７９】
上述の実施形態では、側壁部６６，９２，２３８，２４０を電池保持部１００，１４４の端面１１０，１５２に固定するための固定部材としてネジ２０６を用いているが、ピン等の他の部材を固定部材として用いてもよい。また、たとえば、溶着（熱溶着または超音波溶着等）によって側壁部６６，９２，２４２，２４４を電池保持部１００，１４４の端面１１０，１５２に固定してもよい。
【０１８０】
上述の実施形態では、電池ユニットにおいて複数のリード部材がＸ方向に間隔をおいて設けられているが、複数のリード部材がＹ方向に間隔をおいて設けられてもよい。また、各電池保持部の端面において、複数の突出面がＹ方向に間隔をおいて形成されてもよい。この場合、突出面のＸ方向の寸法（幅）がＹ方向の寸法（幅）よりも大きくなるように突出面が形成されてもよい。
【０１８１】
電池保持部において、Ｚ方向に２つ以上の電池９８が並ぶように複数の電池９８が配列されてもよい。
【０１８２】
ケースと電池保持部との間に熱伝導シートまたは充填剤（伝熱性接着剤）を設けてもよい。
【０１８３】
ケースの側壁部を電池ユニットの複数のリード部材に固定してもよい。たとえば、固定部材を用いて側壁部（突出部）を複数のリード部材に固定してもよく、溶着によって側壁部（突出部）を複数のリード部材に固定してもよい。
【０１８４】
上述の実施形態では、電池保持部の第１端面の長手方向がＸ方向に対して平行でかつ電池保持部の第１端面の短手方向がＹ方向に対して平行であるが、電池保持部の第１端面の短手方向がＸ方向に対して平行でかつ電池保持部の第１端面の長手方向がＹ方向に対して平行になるように、電池パックを構成してもよい。
【０１８５】
上述の実施形態では、側壁部の外周縁からＺ方向に突出するように周壁部が設けられる場合について説明したが、周壁部の位置は上述の例に限定されない。たとえば、側壁部の外周縁よりもやや内側の部分からＺ方向に突出するように周壁部が設けられてもよい。すなわち、周壁部は、側壁部の外周縁部からＺ方向に突出するように設けることができる。なお、側壁部の外周縁部には、側壁部の外周縁が含まれるものとする。
【０１８６】
上述の実施形態では、シール部材を挟んでケース部材とケース部材とが組み合わされる場合について説明したが、ケース部材とケース部材との組み合わせ方法は上述の例に限定されない。たとえば、シール部材の代わりに、接着剤または両面テープ等を用いてケース部材とケース部材とを組み合わせてもよい。たとえば、ケース部材とケース部材とを溶着してもよい。
【０１８７】
この発明が適用される鞍乗型車両はスクータ１０に限定されない。具体的には、この発明は、モペット等の他のタイプの自動二輪車、不整地走行用車両（ＡＬＬ−ＴＥＲＲＡＩＮ  ＶＥＨＩＣＬＥ）、およびスノーモービル等の他の鞍乗型車両にも適用できる。
【符号の説明】
【０１８８】
１０      スクータ
４０，４０ａ      電池パック
５２，５２ａ      ケース
５４，５６，５８，６０，２３４，２３６      ケース部材
５４ａ，６０ａ，２３４ａ，２３６ａ      本体部
５４ｂ，６０ｂ，２３４ｂ，２３６ｂ      放熱部材
６２      第１電池ユニット
６４      第２電池ユニット
６６，７２，８２，９２，２３８，２４０      側壁部
６６ａ，９２ａ，２３８ａ，２４０ａ      外面
６６ｄ，６６ｆ，９２ｄ、９２ｆ      凸部
６６ｇ      貫通孔
６６ｊ，９２ｇ      領域
９８      電池
１００，１４４，２１２      電池保持部
１０２，１４６      第１保持部
１０４，１４８      第２保持部
１１０，１１６，１５２，１６０，      端面
１１０ａ，１１０ｂ，１１０ｃ，１１０ｄ，１１０ｅ，１１０ｆ，１１６ａ      突出面 
１２０，１２２，１２４，１２６，１６４，１６６，１６８，１７０，１８２，１８４，１８８，２１４，２１６，２１８      リード部材
１９０，１９２，１９６ａ，１９６ｂ，１９８，２００，２０４，２０８      シール部材
２０６      ネジ
２２０      第１端面
２４４      内面
【図１】
2013109975.tif 000003
【図２】
2013109975.tif 000004
【図３】
2013109975.tif 000005
【図４】
2013109975.tif 000006
【図５】
2013109975.tif 000007
【図６】
2013109975.tif 000008
【図７】
2013109975.tif 000009
【図８】
2013109975.tif 000010
【図９】
2013109975.tif 000011
【図１０】
2013109975.tif 000012
【図１１】
2013109975.tif 000013
【図１２】
2013109975.tif 000014
【図１３】
2013109975.tif 000015
【図１４】
2013109975.tif 000016
【図１５】
2013109975.tif 000017
【図１６】
2013109975.tif 000018
【図１７】
2013109975.tif 000019
【図１８】
2013109975.tif 000020
【図１９】
2013109975.tif 000021